(57)【要約】【課題】複数種類の測定処理の結果を容易に把握可能な測定結果データを提供する。【解決手段】複数の測定値情報が、測定装置情報（Model、Instrument）、処理条件情報（Function、Mode、Status、Filter）および測定時刻情報に関連付けられて記録されたデータに基づいて測定結果データＤ２を生成するデータ生成処理において、測定装置が複数存在するとの第１の条件、および処理条件が複数存在するとの第２の条件の少なくとも一方を満たすときに、関連付けられている測定装置が同一で、かつ関連付けられている処理条件が同一であるとの第３の条件を満たす測定値情報をグループ化して測定値情報グループ（Info.1〜3）を規定すると共に、各測定値情報を測定時刻の順で各測定値情報グループ毎に並び替え、かつ対応する測定時刻情報、測定装置情報および処理条件情報に関連付けて測定結果データＤ２を生成する。【選択図】図３
2017207327.tif 000002
【特許請求の範囲】
【請求項１】
測定処理によって取得された測定値を示す複数の測定値情報が、前記測定処理を実行した測定装置を特定可能な測定装置情報、前記測定処理の処理条件を特定可能な処理条件情報、および前記測定値のそれぞれの測定時刻を特定可能な複数の測定時刻情報に関連付けられて記録された第１の測定結果データに基づいて第２の測定結果データを生成するデータ生成処理を実行する処理部を備え、
前記処理部は、前記測定装置情報に基づいて特定される前記測定装置が複数存在するとの第１の条件、および前記処理条件情報に基づいて特定される前記処理条件が複数存在するとの第２の条件の少なくとも一方を満たす前記第１の測定結果データを処理対象として前記データ生成処理を実行するときに、関連付けられている前記測定装置が同一で、かつ関連付けられている前記処理条件が同一であるとの第３の条件を満たす前記測定値情報をグループ化して複数の測定値情報グループを規定すると共に、関連付けられている前記測定時刻の順で前記各測定値情報を前記各測定値情報グループ毎に並び替え、かつ対応する当該測定時刻情報、前記測定装置情報および前記処理条件情報に関連付けて記録して前記第２の測定結果データを生成する測定データ処理装置。
【請求項２】
前記処理部は、前記データ生成処理において、前記測定値情報グループの種類を縦方向および横方向のいずれか予め規定された一方に対応させ、かつ前記測定時刻を縦方向および横方向の他方に対応させて前記各測定値を行列形式で表示可能なデータフォーマットで前記第２の測定結果データを生成する請求項１記載の測定データ処理装置。
【請求項３】
前記測定装置から送信される前記測定装置情報、前記処理条件情報、前記測定値情報および前記測定時刻情報を受信可能な処理装置側通信部を備え、
前記処理部は、前記処理装置側通信部によって受信された前記測定装置情報、前記処理条件情報、前記測定値情報および前記測定時刻情報に基づいて前記第１の測定結果データを生成すると共に、予め規定された開始条件が満たされたときに、前記データ生成処理を開始する請求項１または２記載の測定データ処理装置。
【請求項４】
請求項３記載の測定データ処理装置、および当該測定データ処理装置に対して前記測定装置情報、前記処理条件情報、前記測定値情報および前記測定時刻情報を送信可能な測定装置側通信部を有する前記測定装置を備えて構成されている測定システム。
【請求項５】
測定処理によって取得された測定値を示す複数の測定値情報が、前記測定処理を実行した測定装置を特定可能な測定装置情報、前記測定処理の処理条件を特定可能な処理条件情報、および前記測定値のそれぞれの測定時刻を特定可能な複数の測定時刻情報に関連付けられて記録された第１の測定結果データに基づいて第２の測定結果データを生成するデータ生成処理を実行する処理部を備えた測定データ処理装置における当該処理部に対して、前記測定装置情報に基づいて特定される前記測定装置が複数存在するとの第１の条件、および前記処理条件情報に基づいて特定される前記処理条件が複数存在するとの第２の条件の少なくとも一方を満たす前記第１の測定結果データを処理対象として前記データ生成処理を実行するときに、関連付けられている前記測定装置が同一で、かつ関連付けられている前記処理条件が同一であるとの第３の条件を満たす前記測定値情報をグループ化して複数の測定値情報グループを規定すると共に、関連付けられている前記測定時刻の順で前記各測定値情報を前記各測定値情報グループ毎に並び替え、かつ対応する当該測定時刻情報、前記測定装置情報および前記処理条件情報に関連付けて記録して前記第２の測定結果データを生成する処理を実行させる測定データ処理用プログラム。
【請求項６】
前記データ生成処理において、前記測定値情報グループの種類を縦方向および横方向のいずれか予め規定された一方に対応させ、かつ前記測定時刻を縦方向および横方向の他方に対応させて前記各測定値を行列形式で表示可能な予め規定されたデータフォーマットで前記第２の測定結果データを生成する処理を前記処理部に実行させる請求項５記載の測定データ処理用プログラム。
【発明の詳細な説明】
【技術分野】
【０００１】
本発明は、複数の測定値情報が記録された測定結果データを処理対象とするデータ処理を実行可能な測定データ処理装置、そのような測定データ処理装置を備えて構成された測定システム、および測定データ処理装置の処理部にデータ処理を実行させる測定データ処理用プログラムに関するものである。
【背景技術】
【０００２】
出願人は、測定装置およびスマートフォンを備え、測定処理の結果を示す測定結果データを測定装置からスマートフォンに送信してスマートフォンに蓄積する（保存する）ことが可能な測定システムの発明を下記の特許文献に開示している。
【０００３】
この測定システムによって測定装置（一例として、クランプ式電流測定装置）による測定処理、およびスマートフォンへの測定結果データの蓄積を実行する際には、まず、測定装置およびスマートフォンを相互に通信可能な状態に移行させると共に、測定装置によって測定対象をクランプした状態で測定処理を開始させる。次いで、スマートフォンを操作して測定システム用プログラムを起動させ、一例として、測定結果データの自動保存処理を無効化する（スマートフォンのデータ保存スイッチを操作したときだけ測定結果データが保存される使用態様に設定する）。これにより、準備作業が完了する。
【０００４】
また、上記の自動保存処理を無効化する設定操作が完了したときには、スマートフォンから測定装置に対して測定結果データの送信を要求する送信要求信号を送信される。これに応じて、測定装置からスマートフォンに測定結果データが順次送信され、スマートフォンの表示部に表示されている測定処理用画面内の測定値が、送信される測定結果データに応じて逐次更新される。また、測定結果データの保存を希望するときには、スマートフォンのデータ保存スイッチを操作する。これにより、データ保存スイッチの操作時点において測定処理用画面に表示されている測定値に対応する測定結果データがスマートフォンの本体メモリ（または、ストレージメモリ）に記録される。
【０００５】
なお、下記の特許文献には明示していないが、出願人が開示している測定システムでは、上記のように測定装置による測定処理およびスマートフォンへの測定結果データの送信が継続されている状態において、スマートフォンのデータ保存スイッチが操作される都度、その時点において測定処理用画面に表示されている測定値に対応する測定結果データがスマートフォンの本体メモリ（または、ストレージメモリ）に追記される。これにより、例えばデータ保存スイッチを１０回操作したときには、１０個の測定値が、その測定時刻に関連付けられてスマートフォンに蓄積された状態となる。
【０００６】
また、上記の使用態様とは相違するが、出願人が開示している測定システムでは、スマートフォンの操作によって任意のタイミングで測定結果データを追記する処理に代えて、予め規定された条件を満たす測定結果を自動的に保存する処理を実行させることもできる。このような使用形態においても、１個、または複数の測定値が測定時刻に関連付けられてスマートフォンに蓄積された状態となる。
【先行技術文献】
【特許文献】
【０００７】
【特許文献１】特開２０１６−３２１４２号公報（第５−１３頁、第１−２図）
【発明の概要】
【発明が解決しようとする課題】
【０００８】
ところが、出願人が上記の特許文献に開示している測定システムには、以下のような改善すべき課題が存在する。すなわち、出願人が開示している測定システムでは、測定装置からスマートフォンに測定結果データを送信して保存することができる構成が採用されている。
【０００９】
この場合、この種の測定システムの使用形態としては、１台の測定装置を使用した１種類の測定処理を実行して測定結果データを保存するだけでなく、複数台の測定処理を使用して複数の測定処理を並列的に実行して測定結果データを保存したり、途中で処理条件（測定条件）を変更して複数種類の測定処理を連続して実行して測定結果データを保存したりすることがある。このような使用形態においては、測定処理を行った測定装置が異なる複数種類の測定値や、測定処理の処理条件が異なる複数種類の測定値が混在した測定結果データがスマートフォンに蓄積されることとなる。
【００１０】
このような測定結果データを表示または印刷した場合、測定処理を行った測定装置や測定処理の処理条件が異なる複数種類の測定値が混在している状態となるため、各測定処理毎（各測定装置毎、または、各処理条件毎）の測定値の変化を容易に把握することができない。したがって、この点を改善するのが好ましい。
【００１１】
本発明は、かかる改善すべき課題に鑑みてなされたものであり、複数の測定装置を使用した複数の測定処理や、処理条件が異なる複数種類の測定処理の測定結果を容易に把握可能にデータ処理し得る測定データ処理装置、測定システムおよび測定データ処理用プログラムを提供することを主目的とする。
【課題を解決するための手段】
【００１２】
上記目的を達成すべく請求項１記載の測定データ処理装置は、測定処理によって取得された測定値を示す複数の測定値情報が、前記測定処理を実行した測定装置を特定可能な測定装置情報、前記測定処理の処理条件を特定可能な処理条件情報、および前記測定値のそれぞれの測定時刻を特定可能な複数の測定時刻情報に関連付けられて記録された第１の測定結果データに基づいて第２の測定結果データを生成するデータ生成処理を実行する処理部を備え、前記処理部は、前記測定装置情報に基づいて特定される前記測定装置が複数存在するとの第１の条件、および前記処理条件情報に基づいて特定される前記処理条件が複数存在するとの第２の条件の少なくとも一方を満たす前記第１の測定結果データを処理対象として前記データ生成処理を実行するときに、関連付けられている前記測定装置が同一で、かつ関連付けられている前記処理条件が同一であるとの第３の条件を満たす前記測定値情報をグループ化して複数の測定値情報グループを規定すると共に、関連付けられている前記測定時刻の順で前記各測定値情報を前記各測定値情報グループ毎に並び替え、かつ対応する当該測定時刻情報、前記測定装置情報および前記処理条件情報に関連付けて記録して前記第２の測定結果データを生成する。
【００１３】
請求項２記載の測定データ処理装置は、請求項１記載の測定データ処理装置において、前記処理部は、前記データ生成処理において、前記測定値情報グループの種類を縦方向および横方向のいずれか予め規定された一方に対応させ、かつ前記測定時刻を縦方向および横方向の他方に対応させて前記各測定値を行列形式で表示可能なデータフォーマットで前記第２の測定結果データを生成する。
【００１４】
請求項３記載の測定データ処理装置は、請求項１または２記載の測定データ処理装置において、前記測定装置から送信される前記測定装置情報、前記処理条件情報、前記測定値情報および前記測定時刻情報を受信可能な処理装置側通信部を備え、前記処理部は、前記処理装置側通信部によって受信された前記測定装置情報、前記処理条件情報、前記測定値情報および前記測定時刻情報に基づいて前記第１の測定結果データを生成すると共に、予め規定された開始条件が満たされたときに、前記データ生成処理を開始する。
【００１５】
請求項４記載の測定システムは、請求項３記載の測定データ処理装置、および当該測定データ処理装置に対して前記測定装置情報、前記処理条件情報、前記測定値情報および前記測定時刻情報を送信可能な測定装置側通信部を有する前記測定装置を備えて構成されている。
【００１６】
請求項５記載の測定データ処理用プログラムは、測定処理によって取得された測定値を示す複数の測定値情報が、前記測定処理を実行した測定装置を特定可能な測定装置情報、前記測定処理の処理条件を特定可能な処理条件情報、および前記測定値のそれぞれの測定時刻を特定可能な複数の測定時刻情報に関連付けられて記録された第１の測定結果データに基づいて第２の測定結果データを生成するデータ生成処理を実行する処理部を備えた測定データ処理装置における当該処理部に対して、前記測定装置情報に基づいて特定される前記測定装置が複数存在するとの第１の条件、および前記処理条件情報に基づいて特定される前記処理条件が複数存在するとの第２の条件の少なくとも一方を満たす前記第１の測定結果データを処理対象として前記データ生成処理を実行するときに、関連付けられている前記測定装置が同一で、かつ関連付けられている前記処理条件が同一であるとの第３の条件を満たす前記測定値情報をグループ化して複数の測定値情報グループを規定すると共に、関連付けられている前記測定時刻の順で前記各測定値情報を前記各測定値情報グループ毎に並び替え、かつ対応する当該測定時刻情報、前記測定装置情報および前記処理条件情報に関連付けて記録して前記第２の測定結果データを生成する処理を実行させる。
【００１７】
請求項６記載の測定データ処理用プログラムは、請求項５記載の測定データ処理用プログラムにおいて、前記データ生成処理において、前記測定値情報グループの種類を縦方向および横方向のいずれか予め規定された一方に対応させ、かつ前記測定時刻を縦方向および横方向の他方に対応させて前記各測定値を行列形式で表示可能なデータフォーマットで前記第２の測定結果データを生成する処理を前記処理部に実行させる。
【発明の効果】
【００１８】
請求項１記載の測定データ処理装置では、処理部が、測定装置情報に基づいて特定される測定装置が複数存在するとの第１の条件、および処理条件情報に基づいて特定される処理条件が複数存在するとの第２の条件の少なくとも一方を満たす第１の測定結果データを処理対象としてデータ生成処理を実行するときに、関連付けられている測定装置が同一で、かつ関連付けられている処理条件が同一であるとの第３の条件を満たす測定値情報をグループ化して複数の測定値情報グループを規定すると共に、関連付けられている測定時刻の順で各測定値情報を各測定値情報グループ毎に整列させて記録して第２の測定結果データを生成する。また、請求項５記載の測定データ処理用プログラムでは、上記のような処理を測定データ処理装置の処理部に実行させる。
【００１９】
したがって、請求項１記載の測定データ処理装置、そのような測定データ処理装置を備えて構成された測定システム、および請求項５記載の測定データ処理用プログラムによれば、第１の条件および第２の条件の少なくとも一方を満たす測定処理が実行されて、複数台の測定装置から出力された複数種類の測定値情報や、測定処理の処理条件が相違する複数種類の測定値情報が混在する第１の測定結果データが取得されたときに、各測定値情報を種類別に分類する作業や、分類した測定値情報を時系列に整列させる作業などを実施させることなく、各測定処理毎の測定結果を容易に把握し得る第２の測定結果データを提供することができる。これにより、この種の装置・システムを使用した測定処理および測定結果の分析等に不慣れな使用者であっても、各測定処理毎の測定結果を容易に把握することができ、また、提供される第２の測定結果データを加工することで、その内容を一層詳しく把握することができる。
【００２０】
請求項２記載の測定データ処理装置では、処理部が、データ生成処理において、測定値情報グループの種類を縦方向および横方向のいずれか予め規定された一方に対応させ、かつ測定時刻を縦方向および横方向の他方に対応させて各測定値を行列形式で表示可能なデータフォーマットで第２の測定結果データを生成する。また、請求項６記載の測定データ処理用プログラムでは、上記のような処理を測定データ処理装置の処理部に実行させる。
【００２１】
したがって、請求項２記載の測定データ処理装置、そのような測定データ処理装置を備えて構成された測定システム、および請求項６記載の測定データ処理用プログラムによれば、汎用性の高い「行列形式で表示可能なデータフォーマット」で第２の測定結果データを生成することにより、第２の測定結果データを表計算アプリケーションに読み込むことで、測定結果の内容を容易に表示または印刷することができるだけでなく、任意の順序でソートしたり、任意の条件を満たす測定値のみを抽出したりといった作業を容易に実施することができる。これにより、各測定処理毎の測定結果を一層容易に把握することができる。
【００２２】
請求項３記載の測定データ処理装置では、処理部が、処理装置側通信部によって受信された測定装置情報、処理条件情報、測定値情報および測定時刻情報に基づいて第１の測定結果データを生成すると共に、予め規定された開始条件が満たされたときに、データ生成処理を開始する。また、請求項４記載の測定システムでは、上記の測定データ処理装置、および測定データ処理装置に対して測定装置情報、処理条件情報、測定値情報および測定時刻情報を送信可能な測定装置側通信部を有する測定装置を備えて構成されている。
【００２３】
したがって、請求項３記載の測定データ処理装置、および請求項４記載の測定システムによれば、測定対象の近傍に測定装置だけを設置しておき、測定対象から離れた場所において、測定装置から測定データ処理装置に、測定値情報、測定装置情報、処理条件情報および測定時刻情報を送信させて第１の測定結果データを生成し、その後に、任意のタイミングで第２の測定結果データを生成させることができる。これにより、例えば、高所や狭所に存在する測定対象についての測定処理および測定結果の取得を行うときに、操作が困難な場所で測定データ処理装置を操作することなく第２の測定結果データを得ることができる。
【図面の簡単な説明】
【００２４】
【図１】測定システム１００の構成を示す構成図である。
【図２】測定装置１Ａ，１Ｂの構成を示す構成図である。
【図３】測定結果データＤ２の一例について説明するための説明図である。
【発明を実施するための形態】
【００２５】
以下、本発明に係る測定データ処理装置、測定システムおよび測定データ処理用プログラムの実施の形態について、添付図面を参照して説明する。
【００２６】
図１に示す測定システム１００は、「測定システム」の一例であって、測定装置１Ａ，１Ｂおよび携帯情報端末２を備えて構成されている。
【００２７】
測定装置１Ａ，１Ｂ（以下、区別しないときには「測定装置１」ともいう）は、「測定装置」の一例であって、図２に示すように、測定部１１、通信部１２、操作部１３、表示部１４、処理部１５および記憶部１６をそれぞれ備え、測定対象についての電圧値、電流値および抵抗値などの各種の電気的パラメータを測定することができるように構成されている。なお、「測定データ処理装置」、「測定システム」および「測定データ処理用プログラム」についての理解を容易とするために、一例として測定装置１Ａ，１Ｂの２台を備えて構成した測定システム１００を例に挙げて説明するが、１台の「測定装置」、または３台以上の複数台の「測定装置」を備えて「測定システム」を構成することもできる。
【００２８】
測定部１１は、処理部１５の制御に従い、直流電圧値、交流電圧値、直流電流値、交流電流値、および抵抗値などの各種の測定値のうちから予め設定された１つを測定して測定値Ｄ０を出力する。通信部１２は、「測定装置側通信部」に相当し、一例として、ブルートゥース（Bluetooth ：登録商標）規格などの近距離無線通信規格に準ずる無線通信が可能な通信アダプタで構成されている。この通信部１２は、処理部１５の制御に従い、携帯情報端末２などの各種無線通信機器との間で後述する測定結果データＤ１などの各種データを送受信する。操作部１３は、動作条件（測定処理の処理条件）の入力操作が可能な操作スイッチを備え、スイッチ操作に応じた操作信号を処理部１５に出力する。表示部１４は、処理部１５の制御に従い、動作条件設定画面や測定結果表示画面等の各種の表示画面（図示せず）を表示する。
【００２９】
処理部１５は、測定装置１を総括的に制御する。具体的には、処理部１５は、予め設定された処理条件に従って測定部１１を制御して測定処理を実行させる。また、処理部１５は、測定部１１から出力される測定値Ｄ０に基づいて測定結果データＤ１を生成し、生成した測定結果データＤ１を記憶部１６に記憶させる。さらに、処理部１５は、測定値Ｄ０を表示部１４（測定結果表示画面）に表示させる。また、処理部１５は、予め規定された条件が満たされたときに、記憶部１６から測定結果データＤ１を読み出すと共に通信部１２を制御して携帯情報端末２等の外部装置に測定結果データＤ１を送信させる。なお、測定結果データＤ１の内容については、後に具体的な例を挙げて詳細に説明する。記憶部１６は、処理部１５の演算結果や測定結果データＤ１などを記憶する。
【００３０】
一方、携帯情報端末２は、「測定データ処理装置」に相当し、一例として、測定データ処理用プログラムＤｐをインストールした既存のスマートフォン、タブレット端末またはパーソナルコンピュータで構成されている。なお、広義には、「スマートフォン」は「ＰＤＡ（携帯情報端末）の機能が備わった携帯電話」を意味し、「タブレット端末」は「タッチパネル等のポインティングデバイスと表示装置とを備えたＰＤＡ（携帯情報端末）」を意味するが、本明細書では、この広義の「スマートフォン」および広義の「タブレット端末」のうちの「各種プログラムのインストールによって任意の機能を付加したり、端末の操作環境や表示環境等をカスタマイズしたりすることができるもの」を「スマートフォン」や「タブレット端末」という。
【００３１】
この場合、本例では、図１に示すように、通信部２１，２２、操作部２３、表示部２４、処理部２５および記憶部２６を備えたスマートフォンで携帯情報端末２が構成されているものとする。なお、実際の携帯情報端末２（スマートフォン）は、上記の各構成要素２１〜２６の他に、「スマートフォン」としての機能を実現するための各種の構成要素を備えているが、本願発明についての理解を容易とするために、それらの構成要素についての図示および説明を省略する。
【００３２】
通信部２１は、「処理装置側通信部」の一例であって、前述した測定装置１の通信部１２と同様にしてブルートゥース等の近距離無線通信規格に準ずる無線通信が可能な通信アダプタで構成されている。この通信部２１は、後述するように、処理部２５の制御に従い、測定装置１から送信される測定結果データＤ１などの受信処理、および測定装置１に対する各種の制御信号の送信処理を実行する。
【００３３】
通信部２２は、一例として、無線ＬＡＮ通信アダプタや公衆回線通信アダプタで構成され、通信ネットワークＮ（ＬＡＮやＷＡＮなど）に接続されているデータサーバ３等の外部装置に接続可能に構成されると共に、後述するように、処理部２５の制御に従い、通信ネットワークＮを介してデータサーバ３に接続して、測定結果データＤ２などの各種データの送受信を実行する。この場合、データサーバ３は、一例として、測定システム１００の使用者が管理しているサーバーであって、携帯情報端末２などから送信される測定結果データＤ２などを蓄積すると共に、通信ネットワークＮを介してデータサーバ３に接続可能な図示しない他の電子端末に測定結果データＤ２を提供することができるように構成されている。
【００３４】
操作部２３は、一例として、表示部２４の前面側に配設されたタッチパネルや、携帯情報端末２を「スマートフォン」としての機能させるための各種の操作スイッチを備え、操作に応じた操作信号を処理部２５に出力する。表示部２４は、一例として液晶表示パネルを備え、処理部２５の制御に従い、図示しない測定結果表示画面などの各種の表示画面を表示する。
【００３５】
処理部２５は、携帯情報端末２を総括的に制御する。具体的には、処理部２５は、「処理部」に相当し、測定データ処理用プログラムＤｐの記述に従い、通信部２１を介して測定装置１から測定結果データＤ１を取得すると共に、取得した測定結果データＤ１を記憶部２６に順次記憶させて測定結果データＤ１ａを生成する（新たに取得した測定結果データＤ１の内容を既に記憶している測定結果データＤ１ａに追記する）。
【００３６】
また、処理部２５は、測定データ処理用プログラムＤｐの記述に従い、上記のように記憶部２６に記憶させた測定結果データＤ１ａを処理対象とするデータ生成処理を実行して測定結果データＤ２を生成し、生成した測定結果データＤ２を記憶部２６に記憶させる。さらに、処理部２５は、通信部２２および通信ネットワークＮを介して測定結果データＤ２をデータサーバ３に送信する。なお、測定装置１からの測定結果データＤ１の取得および測定結果データＤ１ａの生成や、測定結果データＤ２の生成およびデータサーバ３への送信時などに処理部２５によって実行される処理については、後に具体的な例を挙げて詳細に説明する。
【００３７】
記憶部２６は、上記の測定データ処理用プログラムＤｐおよび測定結果データＤ１，Ｄ１ａ，Ｄ２などを記憶する。この場合、本例の測定システム１００では、携帯情報端末２にインストールされた上記の測定データ処理用プログラムＤｐが「測定データ処理用プログラム」に相当する。なお、測定データ処理用プログラムＤｐや測定結果データＤ１，Ｄ１ａ，Ｄ２などを記憶するための「記憶部」は、携帯情報端末２の内蔵メモリで構成された記憶部２６に限定されず、携帯情報端末２に装着された各種のリムーバブルメモリ（図示せず）を使用することもできる。
【００３８】
次に、測定システム１００を用いた測定処理、およびその後のデータ処理の一例について添付図面を参照して説明する。なお、測定装置１の通信部１２と携帯情報端末２の通信部２１との間におけるブルートゥースのペアリングや、携帯情報端末２への測定データ処理用プログラムＤｐのインストールなどについては既に完了しているものとする。
【００３９】
まず、測定処理に使用する測定装置１の操作部１３を操作することにより、測定処理の処理条件を設定する。この場合、本例では、一例として、「型式（Model）」が「ABC01」で、「個体情報（一例として、製造番号：Instrument）」が「H5091234」との測定装置１Ａ、および「型式（Model）」が「DEF02」で、「個体情報（Instrument）」が「H5188147」との測定装置１Ｂの２台を使用して測定処理を行うものとする。
【００４０】
具体的には、一例として、測定装置１Ａの操作部１３を操作することにより、「処理条件１（Function）」が「直流（DC）・電圧値（V）」で、「処理条件２（Mode）」が「上限値（MAX）」で、「処理条件３（Status）」が「なし」で、かつ「処理条件４（Filter）」が「あり（ON）」との処理条件を設定する。同様にして、測定装置１Ｂの操作部１３を操作することにより、「処理条件１（Function）」が「直流（DC）・電流値（A）」で、「処理条件２（Mode）」が「上限値（MAX）」で、「処理条件３（Status）」が「なし」で、かつ「処理条件４（Filter）」が「あり（ON）」との処理条件を設定する。
【００４１】
この場合、上記の測定装置１では、「処理条件１（Function）」として、「直流（DC）・電圧値（V）」や「直流（DC）・電圧値（A）」だけでなく、「交流（AC）・電圧値（V）」、「交流（AC）・電流値（A）」および「抵抗値（Ω）」などの条件を設定することができる。また、上記の測定装置１では、「処理条件２（Mode）」として、「上限値（MAX）」だけでなく、「下限値（MIN）」や「平均値（AVG）」などの条件を設定することができる。さらに、上記の測定装置１では、例えば突入電流値の測定を行う際に、「処理条件３（Status）」として「INRUSH」との条件が指定される。
【００４２】
また、上記の測定装置１では、ノイズの影響を軽減するためにローパスフィルタを有効とするときに、「処理条件４（Filter）」として上記のように「あり（ON）」との処理条件が設定され、ローパスフィルタを無効とするときには「なし（OFF）」との条件が指定される。さらに、詳細な説明を省略するが、上記の測定装置１以外の「測定装置」を使用するときには、「処理条件１（Function）」、「処理条件２（Mode）」、「処理条件３（Status）」および「処理条件４（Filter）」として、上記の例示以外の各種の条件が指定される。
【００４３】
次いで、処理条件の設定を完了した両測定装置１Ａ，１Ｂを測定場所に設置して測定処理を開始させると共に、携帯情報端末２の操作部２３を操作して測定データ処理用プログラムＤｐを起動させる。この際には、測定装置１Ａによる測定結果が表示される表示領域、および測定装置１Ｂによる測定結果が表示される表示領域が並んで規定された測定結果表示画面（図示せず）が携帯情報端末２の表示部２４に表示される。
【００４４】
また、本例の測定システム１００では、一例として、測定装置１の通信部１２と携帯情報端末２の通信部２１との間の接続が確立されたとき（相互に通信可能な状態となったとき）に、「型式（Model）」を示す「ABC01」または「DEF02」との情報、および「個体情報（Instrument）」を示す「H5091234」または、「H5188147」との情報が測定装置１から携帯情報端末２に送信される。なお、本例では、上記の「型式（Model）」を示す情報、および「個体情報（Instrument）」を示す情報が相俟って「測定装置情報」に相当する。
【００４５】
一方、測定装置１では、処理部１５が測定部１１を制御することにより、設定された処理条件に応じた測定処理を実行させる。この際に、測定装置１Ａでは、測定部１１が、測定した直流電圧値を示す測定値Ｄ０を処理部１５に出力すると共に、処理部１５が、測定値Ｄ０を表示部１４に表示させ、かつ記憶部１６に記憶させる。また、処理部１５は、測定処理の開始を指示されてからの測定値Ｄ０の最大値を記録した測定結果データＤ１を生成し、生成した測定結果データＤ１を通信部１２から携帯情報端末２に一定時間間隔（一例として、１秒間隔）で順次送信させる。
【００４６】
また、測定装置１Ｂでは、測定部１１が、測定した直流電流値を示す測定値Ｄ０を処理部１５に出力すると共に、処理部１５が、測定値Ｄ０を表示部１４に表示させ、かつ記憶部１６に記憶させる。また、処理部１５は、測定処理の開始を指示されてからの測定値Ｄ０の最大値を記録した測定結果データＤ１を生成し、生成した測定結果データＤ１を通信部１２から携帯情報端末２に一定時間間隔（一例として、１秒間隔）で順次送信させる。
【００４７】
この場合、上記の測定結果データＤ１には、測定値（この例では、測定処理を開始してからの直流電圧値の最大値、または直流電圧値の最大値）を示す情報（「測定値情報」の一例）と、その測定時刻（測定値としての最大値を送信するこの例では、最大値を特定した時刻（すなわち、測定結果データＤ１の生成時点を示す時刻）：「測定時刻情報」の一例）と、その時点において設定されている上記の各処理条件（本例では、「処理条件１（Function）」、「処理条件２（Mode）」、「処理条件３（Status）」および「処理条件４（Filter）」４つ）を示す情報（「処理条件情報」の一例）とが相互に関連付けられて記録されている。
【００４８】
また、携帯情報端末２では、両測定装置１から送信された測定結果データＤ１が通信部２１によって受信される都度、処理部２５が、測定データ処理用プログラムＤｐの記述に従い、測定結果データＤ１の内容に応じて表示部２４に表示している測定結果表示画面の内容を更新する。これにより、両測定装置１による測定処理の結果が携帯情報端末２の表示部２４に逐次表示される。
【００４９】
この場合、本例の測定システム１００（携帯情報端末２：測定データ処理用プログラムＤｐ）では、携帯情報端末２の表示部２４に表示されている上記の測定結果表示画面内に、測定結果の保存を指示する「データ保存ボタン」、および保存したデータを整理してデータファイルを出力させる「ファイル出力ボタン」（共に図示せず）が表示されている。したがって、測定装置１から測定結果データＤ１が順次送信されて測定結果表示画面内の表示が逐次更新されている状態において、測定結果の保存を希望するタイミングで「データ保存ボタン」を操作することにより、その時点における測定結果を携帯情報端末２に保存することができる。
【００５０】
具体的には、一例として、「２０１６年１月１日の１２時１０分１５秒」に「データ保存ボタン」が操作されたときに、測定装置１Ａの測定結果としては、データ番号（Data No.：この例では「1」）、測定日時（この例では「2016/1/1/12:10:15」）、測定値（最新の測定結果データＤ１の値：例えば「1.23E+00」）、測定値単位（この例では「V」）、型式（Model：この例では「ABC01」、個体情報（Instrument：この例では「H5091234」、処理条件１（Function：この例では「DC」）、処理条件２（Mode：この例では「MAX」）、処理条件３（Status：この例では「」（なし））、および処理条件４（Filter：この例では「ON」）がこの順で並べられて測定結果データＤ１ａとして記憶部２６に記録（追記）される。
【００５１】
また、測定装置１Ｂの測定結果としては、データ番号（Data No.：この例では「1」）、測定日時（この例では「2016/1/1/12:10:15」）、測定値（最新の測定結果データＤ１の値：例えば「4.56E+00」）、測定値単位（この例では「A」）、型式（Model：この例では「DEF02」、個体情報（Instrument：この例では「H5188147」、処理条件１（Function：この例では「DC」）、処理条件２（Mode：この例では「MAX」）、処理条件３（Status：この例では「」（なし））、および処理条件４（Filter：この例では「ON」）がこの順で並べられて測定結果データＤ１ａとして記憶部２６に記録（追記）される。この後、「データ保存ボタン」が操作される都度、測定装置１Ａ，１Ｂの測定結果としての上記のような各種の情報が記憶部２６内の測定結果データＤ１ａに順次追記される。
【００５２】
なお、本例では、測定結果データＤ１ａが「第１の測定結果データ」に相当し、測定装置１と携帯情報端末２との間の接続が確立された時点において測定装置１から送信された「測定装置情報」、および両測定装置１から送信される測定結果データＤ１の内容を上記のように測定結果データＤ１ａに順次追記する処理が「第１の測定結果データを生成する」との処理に相当する。
【００５３】
この場合、この種の測定システム１００を使用した測定処理時には、処理の継続中に処理条件の変更を行うことがある。一例として、「２０１６年１月１日の１２時１７分０５秒」に、測定装置１Ｂの処理条件の１つである「処理条件４（Filter）」を「OFF」に変更し、その後、「２０１６年１月１日の１２時１７分１５秒」に「データ保存ボタン」が操作されたときに、測定装置１Ｂの測定結果としては、データ番号（Data No.：一例として「8」）、測定日時（この例では「2016/1/1/12:17:15」）、測定値（最新の測定結果データＤ１の値：例えば「4.58E+00」）、測定値単位（この例では「A」）、型式（Model：この例では「DEF02」、個体情報（Instrument：この例では「H5188147」、処理条件１（Function：この例では「DC」）、処理条件２（Mode：この例では「MAX」）、処理条件３（Status：この例では「」（なし））、および処理条件４（Filter：この例では「OFF」）がこの順で並べられて測定結果データＤ１ａとして記憶部２６に記録（追記）される。
【００５４】
また、測定装置１Ａ，１Ｂの２台を使用した測定処理時に、いずれかの測定装置１による測定処理が停止させられたり、いずれかの測定装置１と携帯情報端末２との接続が遮断されたりすることがある。一例として、「２０１６年１月１日の１２時１８分３０秒」に、測定装置１Ａによる測定処理が停止させられ、その後、「２０１６年１月１日の１２時１９分１５秒」に「データ保存ボタン」が操作されたときには、測定装置１Ｂの測定結果だけが測定結果データＤ１ａとして記憶部２６に記録（追記）される。
【００５５】
一方、本例の測定システム１００（測定装置１および測定データ処理用プログラムＤｐ）では、「データ保存ボタン」の複数回の操作によって、測定装置１Ａによる複数の測定結果、および測定装置１Ｂによる複数の測定結果が記録された測定結果データＤ１ａが記憶部２６に記憶されている状態において「ファイル出力ボタン」が操作されたとき（「予め規定された開始条件が満たされたとき」の一例）に、処理部２５が、測定データ処理用プログラムＤｐの記述に従い、測定結果データＤ２を生成する「データ生成処理」を開始する。
【００５６】
この「データ生成処理」では、処理部２５は、まず、開始時点において記憶部２６に記憶されている測定結果データＤ１ａを処理対象として解析することにより、「測定装置情報」に基づいて特定される測定装置が複数存在するとの「第１の条件」、および「処理条件情報」に基づいて特定される処理条件が複数存在するとの「第２の条件」のいずれか、または双方を満たしているか否かを判別する。この際に、上記の例とは相違するが、１台の測定装置を使用して１種類の測定処理を実行した結果が測定結果データＤ１ａとして記憶されているときには、処理部２５は、その測定結果データＤ１ａ内の測定値を測定時刻順で並べて測定結果データＤ２を生成して「データ生成処理」を終了する。
【００５７】
一方、測定装置１Ａ，１Ｂの２台を使用して、直流電圧値の最大値、および直流電流値の最大値の２種類の測定処理を実行した本例では、処理部２５は、処理対象の測定結果データＤ１ａが、「第１の条件」および「第２の条件」の双方を満たしていると判別する。この際に、処理部２５は、まず、関連付けられている測定装置が同一で、かつ関連付けられている処理条件が同一であるとの「第３の条件」を満たす測定値情報をグループ化して複数の測定値情報グループを規定する。
【００５８】
具体的には、処理部２５は、測定結果データＤ１ａに記録されている各「測定値情報」に関し、測定装置１Ａによって「Filter：ON」で実行された「直流電圧値の最大値」の測定処理の結果を示す各情報を、「第３の条件を満たす測定値情報」として１つの「測定値情報グループ：一例として、「Info.1」とのグループ」にグループ化し、測定装置１Ｂによって「Filter：ON」で実行された「直流電流値の最大値」の測定処理の結果を示す各情報を、「第３の条件を満たす測定値情報」として他の１つの「測定値情報グループ：一例として、「Info.2」とのグループ」にグループ化し、かつ測定装置１Ｂによって「Filter：OFF」で実行された「直流電流値の最大値」の測定処理の結果を示す各情報を、「第３の条件を満たす測定値情報」としてさらに他の１つの「測定値情報グループ：一例として、「Info.3」とのグループ」にグループ化する。これにより、上記の例では、「Info.1」から「Info.3」までの３つの「測定値情報グループ」が規定される。
【００５９】
次いで、処理部２５は、測定データ処理用プログラムＤｐの記述に従い、図３に示す測定結果データＤ２を生成する。具体的には、処理部２５は、「info.1」との「測定値情報グループ」にグループ化した測定値を、関連付けられている測定時刻の順で整列させ、「info.2」との「測定値情報グループ」にグループ化した測定値を、関連付けられている測定時刻の順で整列させ、かつ「info.3」との「測定値情報グループ」にグループ化した測定値を、関連付けられている測定時刻の順で整列させて記録することで測定結果データＤ２を生成する。
【００６０】
より具体的には、本例の測定システム１００（携帯情報端末２および測定データ処理用プログラムＤｐ）では、「測定値情報グループ」の種類を横方向に対応させ、かつ「測定時刻」を縦方向に対応させて各測定値を行列形式で表示可能なＣＳＶ形式（カンマ区切りテキスト形式：「行列形式で表示可能なデータフォーマット」の一例）で測定結果データＤ２を生成する。なお、図３では、測定結果データＤ２の内容についての理解を容易とするために、ＣＳＶ形式の測定結果データＤ２の内容を表計算アプリケーションで行列形式に整列させた状態を図示している。
【００６１】
この場合、上記の例の測定結果データＤ２では、「info.1」との「測定値情報グループ」として、「2016/1/1/12:10:15」における測定値（最大値）を示す「1.23E+00」との「測定値情報」から、「2016/1/1/12:18:15」における測定値（最大値）を示す「1.24E+00」との「測定値情報」までの９個の「測定値情報」が、それぞれの測定時刻（特定された時刻：「Date」および「Time」）を示す「測定時刻情報」、「Model：ABC01」および「Instrument：H5091234」との「測定装置情報」、並びに「Function：DC」、「Mode：MAX」、「Status：（なし）」、「Filter：ON」および「測定値単位：V」との「処理条件情報」の３つの情報にそれぞれ関連付けられて、行列形式で表示（または印刷）したときに縦方向に並ぶように記録されている。
【００６２】
また、上記の例の測定結果データＤ２では、「info.2」との「測定値情報グループ」として、「2016/1/1/12:10:15」における測定値（最大値）を示す「4.56E+00」との「測定値情報」から、「2016/1/1/12:16:15」における測定値（最大値）を示す「4.58E+00」との「測定値情報」までの７個の「測定値情報」が、それぞれの測定時刻（特定された時刻：「Date」および「Time」）を示す「測定時刻情報」、「Model：DEF021」および「Instrument：H5188147」との「測定装置情報」、並びに「Function：DC」、「Mode：MAX」、「Status：（なし）」、「Filter：ON」および「測定値単位：A」との「処理条件情報」の３つの情報にそれぞれ関連付けられて、行列形式で表示（または印刷）したときに縦方向に並ぶように記録されている。
【００６３】
さらに、上記の例の測定結果データＤ２では、「info.3」との「測定値情報グループ」として、「2016/1/1/12:17:15」における測定値（最大値）を示す「4.58E+00」との「測定値情報」から、「2016/1/1/12:20:15」における測定値（最大値）を示す「4.59E+00」との「測定値情報」までの４個の「測定値情報」が、それぞれの測定時刻（特定された時刻：「Date」および「Time」）を示す「測定時刻情報」、「Model：DEF021」および「Instrument：H5188147」との「測定装置情報」、並びに「Function：DC」、「Mode：MAX」、「Status：（なし）」、「Filter：OFF」および「測定値単位：A」との「処理条件情報」の３つの情報にそれぞれ関連付けられて、行列形式で表示（または印刷）したときに縦方向に並ぶように記録されている。
【００６４】
以上のように、測定結果データＤ１ａを解析することで規定した「測定値情報グループ」毎に、測定結果データＤ１ａ内の各「測定値情報」を「測定時刻情報」に基づいて特定される測定時刻の順で整列させて記録することにより、測定結果データＤ２が生成される。また、本例の測定システム１００（携帯情報端末２および測定データ処理用プログラムＤｐ）では、携帯情報端末２の操作部２３を操作することにより、生成した測定結果データＤ２を通信部２２からネットワークＮを介してデータサーバ３に転送し、データサーバ３や、データサーバ３に接続可能な他の電子端末を使用して測定結果データＤ２を任意に加工して測定処理の結果を分析することができる。
【００６５】
なお、測定結果データＤ２の表示や加工については、データサーバ３に転送せずに携帯情報端末２において実施することもできる。この場合、本例の測定システム１００（携帯情報端末２および測定データ処理用プログラムＤｐ）では、測定装置１Ａを使用した１種類の測定処理の測定値（上記の例における「info.1」との「測定値情報グループ」にグループ化された測定値）、測定装置１Ｂを使用した２種類の測定処理の測定値（上記の例における「info.2」との「測定値情報グループ」にグループ化された測定値、および「info.3」との「測定値情報グループ」にグループ化された測定値）が測定時刻順で別個に整列させられて測定結果データＤ２に記録されている。
【００６６】
したがって、測定結果データＤ２を表計算アプリケーションで読み込んで表示または印刷したときに、３種類の測定処理毎の各測定値の変化等を確実かつ容易に把握することが可能となっている。また、測定結果データＤ２を利用して３種類の測定処理毎の各測定値の変化等をグラフ化する際にも、測定値の条件分けやソートなどを行わなくても、確実かつ容易にグラフ化することが可能となっている。
【００６７】
このように、この携帯情報端末２では、処理部２５が、「測定装置情報」に基づいて特定される測定装置１が複数存在するとの「第１の条件」、および「処理条件情報」に基づいて特定される処理条件が複数存在するとの「第２の条件」の少なくとも一方を満たす測定結果データＤ１ａを処理対象として「データ生成処理」を実行するときに、関連付けられている測定装置１が同一で、かつ関連付けられている処理条件が同一であるとの「第３の条件」を満たす「測定値情報」をグループ化して複数の「測定値情報グループ」を規定すると共に、関連付けられている測定時刻の順で各「測定値情報」を各「測定値情報グループ」毎に整列させて記録して測定結果データＤ２を生成する。また、この測定データ処理用プログラムＤｐでは、上記のような処理を携帯情報端末２の処理部２５に実行させる。
【００６８】
したがって、この携帯情報端末２、測定システム１００および測定データ処理用プログラムＤｐによれば、「第１の条件」および「第２の条件」の少なくとも一方を満たす測定処理が実行されて、複数台の測定装置から出力された複数種類の測定値情報や、測定処理の処理条件が相違する複数種類の測定値情報が混在する測定結果データＤ１ａが取得されたときに、各測定値情報を種類別に分類する作業や、分類した測定値情報を時系列に整列させる作業などを実施させることなく、各測定処理毎の測定結果を容易に把握し得る第２の測定結果データを提供することができる。これにより、この種の装置・システムを使用した測定処理および測定結果の分析等に不慣れな使用者であっても、各測定処理毎の測定結果を容易に把握することができ、また、提供される測定結果データＤ２を加工することで、その内容を一層詳しく把握することができる。
【００６９】
また、この携帯情報端末２では、処理部２５が、「データ生成処理」において、「測定値情報グループ」の種類を縦方向および横方向のいずれか予め規定された一方（本例では、横方向）に対応させ、かつ測定時刻を縦方向および横方向の他方（本例では、縦方向）に対応させて各測定値を行列形式で表示可能なデータフォーマット（本例では、ＣＳＶ形式）で測定結果データＤ２を生成する。さらに、この測定データ処理用プログラムＤｐでは、上記のような処理を携帯情報端末２の処理部２５に実行させる。
【００７０】
したがって、この携帯情報端末２、測定システム１００および測定データ処理用プログラムＤｐによれば、汎用性の高い「行列形式で表示可能なデータフォーマット」で測定結果データＤ２を生成することにより、測定結果データＤ２を表計算アプリケーションに読み込むことで、測定結果の内容を容易に表示または印刷することができるだけでなく、任意の順序でソートしたり、任意の条件を満たす測定値のみを抽出したりといった作業を容易に実施することができる。これにより、各測定処理毎の測定結果を一層容易に把握することができる。
【００７１】
さらに、この携帯情報端末２では、処理部２５が、通信部２１によって受信された測定結果データＤ１（「測定装置情報」、「処理条件情報」、「測定値情報」および「測定時刻情報」）に基づいて測定結果データＤ１ａを生成すると共に、予め規定された開始条件が満たされたとき（本例では、「ファイル出力ボタン」が操作されたとき）に、「データ生成処理」を開始する。また、この測定システム１００では、上記の携帯情報端末２、および携帯情報端末２に対して「測定装置情報」、「処理条件情報」、「測定値情報」および「測定時刻情報」（測定結果データＤ１）を送信可能な通信部１２を有する測定装置１を備えて構成されている。
【００７２】
したがって、この携帯情報端末２および測定システム１００によれば、測定対象の近傍に測定装置１だけを設置しておき、測定対象から離れた場所において、測定装置１から携帯情報端末２に測定結果データＤ１を送信させて測定結果データＤ１ａを生成し、その後に、任意のタイミングで測定結果データＤ２を生成させることができる。これにより、例えば、高所や狭所に存在する測定対象についての測定処理および測定結果の取得を行うときに、操作が困難な場所で携帯情報端末２を操作することなく測定結果データＤ２を得ることができる。
【００７３】
なお、「測定データ処理装置」および「測定システム」の構成や、「測定データ処理用プログラム」の処理内容については、上記の例に限定されない。
【００７４】
例えば、「型式（Model）」や「個体情報（Instrument）」を示す情報を「測定装置情報」として利用する例について説明したが、このような情報に代えて、使用者が任意に定めた情報（例えば、「３番ブレーカに接続した電圧計」との文字列）や、「測定装置側通信部」の識別符号（MACアドレス等）を「測定装置情報」として利用することができる。また、「処理条件１（Function）」、「処理条件２（Mode）」、「処理条件３（Status）」および「処理条件４（Filter）」などを示す情報を「処理条件情報」として利用する例について説明したが、このような情報に代えて、使用者が任意に定めた情報（例えば、「３番ブレーカの出力側電圧値」との文字列）などを「処理条件情報」として利用することができる。
【００７５】
さらに、測定装置１Ａを使用して１種類の測定処理を実行すると共に、この測定処理と並行して測定装置１Ｂを使用して２種類の測定処理を実行したときに生成される測定結果データＤ１ａを「第１の測定結果データ」としてデータ処理する例について説明したが、例えば、１台の測定装置１を使用して同種の測定処理を複数回実行することで生成される複数の測定結果データＤ１ａを結合して１つの測定結果データＤ１ａを生成し、その測定結果データＤ１ａを「第１の測定結果データ」としてデータ処理することもできる。
【００７６】
また、測定結果データＤ１ａに記録されているすべての測定値を「測定値情報グループ」毎に測定時刻順で整列させて測定結果データＤ２を生成する例について説明したが、「データ生成処理」に際して、各測定値のうちの予め規定した任意の条件を満たす測定値のみを対象として「測定値情報グループ」毎に測定時刻順で整列させて「第２の測定結果データ」を生成することもできる。具体的には、グループ化した測定値のうちの規定値を超える測定値、規定値以上の測定値、規定値を下回る測定値、規定値以下の測定値、規定範囲内の測定値、および規定範囲外の測定値のみを対象として測定時刻順に整列させたり、グループ化した測定値のうちの「規定時間おき」に対応する測定値のみを対象として測定時刻順に整列させたりすることができる。
【００７７】
さらに、携帯情報端末２の「データ保存ボタン」が操作したときに測定結果データＤ１の内容が測定結果データＤ１ａに追記される例について説明したが、測定装置１から測定結果データＤ１が送信される都度、その内容が測定結果データＤ１ａに追記される構成・方法を採用することができる。このような構成を採用することにより、測定装置１における操作部１３のＨＯＬＤスイッチ（測定値を保持させるスイッチ）を操作する都度、その時点における測定値を携帯情報端末２において測定結果データＤ１ａに追記させたり、測定装置１から一定時間間隔で測定結果データＤ１を自動的に送信させることで、携帯情報端末２において一定時間間隔で測定値を測定結果データＤ１ａに追記させたりすることができる。
【００７８】
また、携帯情報端末２の「ファイル出力ボタン」が操作されたときに「データ生成処理」を開始して測定結果データＤ２を生成する例について説明したが、予め設定した時刻が到来したとき、予め設定された時間が経過したとき、予め設定されたデータ量の測定値が蓄積されたとき、および予め規定した条件を満たす測定値が取得されたときなどに「データ生成処理」を開始して測定結果データＤ２を生成する構成・方法を採用することができる。
【００７９】
さらに、「測定データ処理装置」を構成する携帯情報端末２に対して測定装置１から測定結果データＤ１を直接送信させる使用方法を例に挙げて説明したが、「測定データ処理装置」が取得する「第１の測定結果データ」は、「測定データ処理装置」とは異なる外部装置を経由して「測定装置」から取得するデータであってもよい。加えて、「各測定値を行列形式で表示可能なデータフォーマット」は、上記の例のようなＣＳＶ形式に限定されず、ＰＲＮ形式（スペース区切りテキスト形式）や、各種スプレッドシート形式を採用することができる。
【符号の説明】
【００８０】
１００  測定システム
１  測定装置
２  携帯情報端末
１１  測定部
１２，２１，２２  通信部
１３，２３  操作部
１４，２４  表示部
１５，２５  処理部
１６，２６  記憶部
Ｄ１，Ｄ１ａ，Ｄ２  測定結果データ
Ｄｐ  測定データ処理用プログラム
【図１】
2017207327.tif 000003
【図２】
2017207327.tif 000004
【図３】
2017207327.tif 000005